(57)【特許請求の範囲】
【請求項１】
所定の舗装幅で舗装材を敷き均す主スクリードプレートと、前記主スクリードプレートの幅方向に伸縮することで舗装幅を変更して前記舗装材を敷き均す伸縮スクリードプレートと、前記主スクリードプレートを加熱する主スクリードプレート加熱手段と、前記伸縮スクリードプレートを加熱する伸縮スクリードプレート加熱手段とを備えてなるスクリード装置において、
前記伸縮スクリードプレートが前記主スクリードプレートの幅方向に伸長することで前記主スクリードプレートの幅を超える前記伸縮スクリードプレートの伸縮部分を広げたとき及び狭めたときにドグによりＯＮ及びＯＦＦに切り換えるリミットスイッチを備え、
前記伸縮スクリードプレート加熱手段は、前記伸縮スクリードプレートをその幅方向に複数に区分けした各箇所を個別に加熱する複数の個別加熱手段からなり、前記ドグにより前記リミットスイッチをＯＮされた前記伸縮部分にある前記個別加熱手段によって前記ドグにより前記リミットスイッチをＯＮされた前記伸縮部分を加熱し、前記ドグにより前記リミットスイッチをＯＮされない伸縮部分にある前記個別加熱手段は作動させないことを特徴とするスクリード装置。
【発明の詳細な説明】
【技術分野】
【０００１】
本発明は、舗装材などを敷き均して道路表面を舗設するアスファルトフィニッシャなどの道路舗設車両に用いられるスクリード装置に関するものである。
【背景技術】
【０００２】
スクリードプレートは、アスファルト舗装材などを敷き均して道路舗装面を平滑に仕上げるスクリード装置の１構成部品である。このスクリード装置においては、舗装面を平滑にアイロン仕上げすると共に、アスファルト舗装材などがスクリードプレートに付着するのを防ぐため、スクリードプレート加熱装置によってスクリードプレートを加熱する必要がある。
【０００３】
この種のスクリードプレート加熱装置としては、例えば、プロパンガスなどのＬＰＧ（液化石油ガス）や軽油を燃料とするバーナ（燃焼器）を用いたものや、電気ヒータを用いたものがある。電気ヒータを用いた加熱装置は、下記の特許文献１に開示されるように、スクリードプレートに高周波誘導コイルが配設されて構成されており、この高周波誘導コイルに高周波電流を流してスクリードプレートの誘導加熱を行う。
【０００４】
スクリードプレートは、一般に主スクリードプレートと、この主スクリードプレートの後方に位置して主スクリードプレートの右側および左側に伸縮させられる伸縮スクリードプレートとから構成されている。主スクリードプレートの左右への伸縮スクリードプレートの伸長量を少なくすることにより舗装幅が狭くなり、主スクリードプレートの左右への伸縮スクリードプレートの伸長量を多くすることにより舗装幅が広くなる。電気ヒータを用いた加熱装置は、従来、主スクリードプレートのみを独立に加熱したり、伸縮スクリードプレートのみを独立に加熱することができた。
【特許文献１】特開平１０−２５２０１２号公報（[０００９]〜[００１２]）
【発明の開示】
【発明が解決しようとする課題】
【０００５】
しかしながら、上記従来のスクリード装置では、舗装幅を狭くするために主スクリードプレートの左右への伸縮スクリードプレートの伸長量を少なくした状態では、主スクリードプレートの背後に位置している部分の舗装面は、主スクリードプレートによって敷き均されている。このため、従来、主スクリードプレートに重なった伸縮スクリードプレートの部分によって重ねて敷き均す必要がないにもかかわらず、伸縮スクリードプレートの全体を加熱して敷き均していた。このため、上記従来のスクリード装置では、スクリードプレートの加熱に無駄なエネルギーを使っていた。
【課題を解決するための手段】
【０００６】
本発明はこのような課題を解決するためになされたもので、所定の舗装幅で舗装材を敷き均す主スクリードプレートと、主スクリードプレートの幅方向に伸縮することで舗装幅を変更して舗装材を敷き均す伸縮スクリードプレートと、主スクリードプレートを加熱する主スクリードプレート加熱手段と、伸縮スクリードプレートを加熱する伸縮スクリードプレート加熱手段とを備えてなるスクリード装置において、伸縮スクリードプレートが主スクリードプレートの幅方向に伸長することで主スクリードプレートの幅を超える伸縮スクリードプレートの伸縮部分を広げたとき及び狭めたときにドグによりＯＮ及びＯＦＦに切り換えるリミットスイッチを備え、伸縮スクリードプレート加熱手段は、伸縮スクリードプレートをその幅方向に複数に区分けした各箇所を個別に加熱する複数の個別加熱手段からなり、ドグによりリミットスイッチをＯＮされた伸縮部分にある個別加熱手段によってドグによりリミットスイッチをＯＮされた伸縮部分を加熱し、ドグによりリミットスイッチをＯＮされない伸縮部分にある個別加熱手段は作動させないことを特徴とする。
【０００７】
この構成によれば、伸縮スクリードプレートは、その幅方向に複数に区分けされた各箇所が、伸縮スクリードプレート加熱手段によって個別に加熱される。このため、伸縮スクリードプレート加熱手段により、伸縮スクリードプレートにおける主スクリードプレートの幅を超えて伸長した箇所のみを加熱して、主スクリードプレートの幅を超えて伸長していない箇所を加熱しないことが出来る。これにより、伸縮スクリードプレートの全体を加熱する従来の場合に比べて、伸縮スクリードプレートにおける主スクリードプレートの幅を越えて伸長していない箇所を加熱しない分、スクリードプレートの加熱に必要なエネルギー量を少なくすることができる。
【０００９】
また、伸縮スクリードプレートは、伸縮スクリードプレート加熱手段により、ドグによりリミットスイッチをＯＮされた伸縮部分にある個別加熱手段によってドグによりリミットスイッチをＯＮされた伸縮部分が加熱され、ドグによりリミットスイッチをＯＮされない伸縮部分にある個別加熱手段が作動されないので、主スクリードプレートの幅を超えて伸長していない箇所は加熱されない。これにより、作業者の加熱箇所を切り換える負担が軽減される。
【発明の効果】
【００１０】
本発明によるスクリード装置によれば、上記のように、スクリードプレートの加熱に必要なエネルギー量を少なくすることができる。また、作業者の加熱箇所を切り換える負担が軽減される。
【発明を実施するための最良の形態】
【００１１】
次に、本発明を実施するための最良の形態について説明する。
【００１２】
図１は、この最良の形態によるスクリード装置を備えたアスファルトフィニッシャ２０の構成の概略を示しており、同図（ａ）はその一部破断側面図、同図（ｂ）はそのスクリード装置２４を示す平面図である。
【００１３】
同図（ａ）に示すように、アスファルトフィニッシャ２０は、アスファルト舗装材ｋが積み込まれるホッパ２１が車体の前部に設けられている。ホッパ２１の後方の車体下部には、ホッパ２１に積み込まれたアスファルト舗装材ｋを搬送するコンベヤ２２と、アスファルト舗装材ｋを路盤上に撒き出すスクリュスプレッダ２３とが設けられている。スクリュスプレッダ２３は、スクリュ軸の外周にスクリュ羽根が形成されており、スクリュ軸が定速回転するのに伴いスクリュ羽根が旋回し、コンベヤ２２から供給されたアスファルト舗装材ｋを路盤上に撒き出す。車体の後方には、撒き出したアスファルト舗装材ｋを敷き均して舗装面を平滑に仕上げるスクリード装置２４が設けられている。アスファルトフィニッシャ２０は、一対の後方駆動輪２５ａ，２５ｂおよび一対の前方駆動輪２６ａ，２６ｂによって進行方向である同図左方に走行し、スクリード装置２４を牽引する。また、車体上部の運転席には操作部２７が設けられており、操作部２７には、スクリード装置２４を伸縮して舗装幅を変更するための操作レバーや操作スイッチなどが設けられている。
【００１４】
スクリード装置２４は、同図（ｂ）に示すように、所定の舗装幅でアスファルト舗装材ｋを敷き均す主スクリードプレート３０Ａと、左右で一対の伸縮スクリードプレート３０Ｂ，３０Ｃとを備えて構成されている。伸縮スクリードプレート３０Ｂ，３０Ｃは、主スクリードプレート３０Ａの後方で主スクリードプレート３０Ａの幅方向にスライドして伸縮することで舗装幅を変更し、アスファルト舗装材ｋを敷き均す。
【００１５】
図２は、本実施形態によるスクリード装置２４が備えるスクリードプレート３０Ａ〜３０Ｃの平面図である。また、図３は主スクリードプレート３０Ａを示しており、同図（ａ）はその平面図、同図（ｂ）はその正面図、同図（ｃ）はその左側面図である。また、図４は伸縮スクリードプレート３０Ｂを示しており、同図（ａ）はその平面図、同図（ｂ）はその正面図、同図（ｃ）はその左側面図である。なお、伸縮スクリードプレート３０Ｃは図示しないが伸縮スクリードプレート３０Ｂと同様な構造をしている。
【００１６】
主スクリードプレート３０Ａはフレーム３０Ａ１に、伸縮スクリードプレート３０Ｂはフレーム３０Ｂ１に、伸縮スクリードプレート３０Ｃはフレーム３０Ｃ１に、それぞれ支持されている。主スクリードプレート３０Ａには、その全面に誘導コイル３４Ａが設けられている。また、主スクリードプレート３０Ａの後部の幅方向両端部には、それぞれ２個のリミットスイッチ３０Ａ２，３０Ａ３が、主スクリードプレート３０Ａの幅方向に並べて設けられている。主スクリードプレート３０Ａの幅方向内側に設けられたリミットスイッチ３０Ａ２は、主スクリードプレート３０Ａの幅方向外側に設けられたリミットスイッチ３０Ａ３よりも、後方に位置している。また、伸縮スクリードプレート３０Ｂには、その左側半分に誘導コイル３４Ｂ１、右側半分に誘導コイル３４Ｂ２がそれぞれ設けられており、伸縮スクリードプレート３０Ｃには、その左側半分に誘導コイル３４Ｃ１、右側半分に誘導コイル３４Ｃ２がそれぞれ設けられている。
【００１７】
また、伸縮スクリードプレート３０Ｂの前部には、左端部に１個のドグ３０Ｂ４、中央部やや右寄りに１個のドグ３０Ｂ３がそれぞれ設けられている。伸縮スクリードプレート３０Ｂの左端部に設けられたドグ３０Ｂ４は、中央部やや右寄りに設けられたドグ３０Ｂ３よりも、前側に位置している。このため、リミットスイッチ３０Ａ２はドグ３０Ｂ３にのみ接触し、リミットスイッチ３０Ａ３はドグ３０Ｂ４にのみ接触する。つまり、リミットスイッチ３０Ａ２はドグ３０Ｂ３によりＯＮ−ＯＦＦされ、リミットスイッチ３０Ａ３はドグ３０Ｂ４によりＯＮ−ＯＦＦされる。また、伸縮スクリードプレート３０Ｃにも、伸縮スクリードプレート３０Ｂと左右を逆にした位置関係で２個のドグ３０Ｃ３，３０Ｃ４が設けられている。
【００１８】
各誘導コイル３４Ａ，３４Ｂ１，３４Ｂ２，３４Ｃ１，および３４Ｃ２は、図示しない交流発電機に接続されており、主スクリードプレート３０Ａおよび伸縮スクリードプレート３０Ｂ，３０Ｃを加熱する。誘導コイル３４Ａは、主スクリードプレート３０Ａを加熱する主スクリードプレート加熱手段を構成している。誘導コイル３４Ｂ１，３４Ｂ２，３４Ｃ１，および３４Ｃ２は、伸縮スクリードプレート３０Ｂ，３０Ｃを加熱する伸縮スクリードプレート加熱手段を構成している。伸縮スクリードプレート加熱手段は、伸縮スクリードプレート３０Ｂ，３０Ｃをその幅方向に複数に区分けした各箇所を、舗装幅に合わせて切り換え、個別に加熱する。本実施形態では、伸縮スクリードプレート３０Ｂの誘導コイル３４Ｂ１が設けられた左側半分および誘導コイル３４Ｂ２が設けられた右側半分、伸縮スクリードプレート３０Ｃの誘導コイル３４Ｃ１が設けられた左側半分、誘導コイル３４Ｃ２が設けられた右側半分が、後述するように、リミットスイッチ３０Ａ２，３０Ａ３、ドグ３０Ｂ３，３０Ｂ４、ドグ３０Ｃ３，３０Ｃ４により、舗装幅に合わせて切り換えられて個別に加熱される。
【００１９】
伸縮スクリードプレート３０Ｂは、右側半分が主スクリードプレート３０Ａの背後に位置する図２に示す位置と、全体が主スクリードプレート３０Ａの背後に位置する図５に示す位置と、全体が主スクリードプレート３０Ａの左側に突出した図６に示す位置との間の任意の位置にスライドすることができる。また、伸縮スクリードプレート３０Ｃは、左側半分が主スクリードプレート３０Ａの背後に位置する図２に示す位置と、全体が主スクリードプレート３０Ａの背後に位置する図５に示す位置と、全体が主スクリードプレート３０Ａの右側に突出した図６に示す位置との間の任意の位置にスライドすることができる。
【００２０】
上記の構成において、主スクリードプレート３０Ａおよび伸縮スクリードプレート３０Ｂ，３０Ｃは、交流発電機から誘導コイル３４Ａ，３４Ｂ１，３４Ｂ２，３４Ｃ１，３４Ｃ２に高周波電流が供給されることにより、主スクリードプレート３０Ａおよび伸縮スクリードプレート３０Ｂ，３０Ｃ内に誘導電流が発生する。そしてこの誘導電流によって主スクリードプレート３０Ａおよび伸縮スクリードプレート３０Ｂ，３０Ｃ内に生じるジュール熱によって主スクリードプレート３０Ａおよび伸縮スクリードプレート３０Ｂ，３０Ｃが誘導加熱され、所定の温度に維持される。従って、本実施形態によるスクリード装置２４によれば、主スクリードプレート３０Ａは誘導コイル３４Ａによりその全体が加熱される。また、伸縮スクリードプレート３０Ｂは、誘導コイル３４Ｂ１によりその左側半分が、また、誘導コイル３４Ｂ２によりその右側半分が加熱される。また、伸縮スクリードプレート３０Ｃは、誘導コイル３４Ｃ１によりその左側半分が、また、誘導コイル３４Ｃ２によりその右側半分が加熱される。
【００２１】
また、本実施形態のスクリード装置２４では、図５に示すように、伸縮スクリードプレート３０Ｂ全体を主スクリードプレート３０Ａの背後に位置させて舗装幅を狭くしている状態では、何れのリミットスイッチ３０Ａ２，３０Ａ３もドグ３０Ｂ３，３０Ｂ４によりＯＮされていないので、高周波電流は誘導コイル３４Ｂ１，３４Ｂ２に供給されず、伸縮スクリードプレート３０Ｂの全体が加熱されない。この状態から、図２に示すように、伸縮スクリードプレート３０Ｂの左側半分を主スクリードプレート３０Ａの左側に位置させると共に、伸縮スクリードプレート３０Ｂの右側半分を主スクリードプレート３０Ａの背後に位置させて舗装幅を広げると、ドグ３０Ｂ４によりリミットスイッチ３０Ａ３のみがＯＮされるので、高周波電流は、誘導コイル３４Ｂ２には供給されず、誘導コイル３４Ｂ１にのみ供給される。従って、誘導コイル３４Ｂ１によって伸縮スクリードプレート３０Ｂの左側半分のみが個別に加熱される。この状態から、図６に示すように、伸縮スクリードプレート３０Ｂ全体を主スクリードプレート３０Ａの左側に位置させて舗装幅をさらに広くすると、リミットスイッチ３０Ａ３に加えて、リミットスイッチ３０Ａ２もドグ３０Ｂ３によりＯＮされるので、高周波電流は誘導コイル３４Ｂ１，３４Ｂ２に供給される。従って、誘導コイル３４Ｂ１によって伸縮スクリードプレート３０Ｂの左側半分、誘導コイル３４Ｂ２によって伸縮スクリードプレート３０Ｂの右側半分がそれぞれ加熱される。
【００２２】
また、図６に示すように、伸縮スクリードプレート３０Ｂ全体を主スクリードプレート３０Ａの左側に位置させた状態から、図２に示すように、伸縮スクリードプレート３０Ｂの左側半分を主スクリードプレート３０Ａの左側に位置させると共に、伸縮スクリードプレート３０Ｂの右側半分を主スクリードプレート３０Ａの背後に位置させて、舗装幅を狭めると、ドグ３０Ｂ３によりリミットスイッチ３０Ａ２がＯＦＦされる。従って、高周波電流は、誘導コイル３４Ｂ２への供給が停止し、誘導コイル３４Ｂ１にのみ供給され、誘導コイル３４Ｂ１によって伸縮スクリードプレート３０Ｂの左側半分のみが個別に加熱される。この状態から、図５に示すように、伸縮スクリードプレート３０Ｂ全体を主スクリードプレート３０Ａの背後に位置させて舗装幅をさらに狭くすると、リミットスイッチ３０Ａ３もドグ３０Ｂ４によりＯＦＦされて、高周波電流の誘導コイル３４Ｂ１への供給も停止し、伸縮スクリードプレート３０Ｂの全体が加熱されなくなる。
【００２３】
また、図５に示すように、伸縮スクリードプレート３０Ｃ全体を主スクリードプレート３０Ａの背後に位置させて舗装幅を狭くした状態では、何れのリミットスイッチ３０Ａ２，３０Ａ３もドグ３０Ｃ３，３０Ｃ４によりＯＮされていないので、高周波電流は誘導コイル３４Ｃ１，３４Ｃ２に供給されず、伸縮スクリードプレート３０Ｃの全体が加熱されない。この状態から、図２に示すように、伸縮スクリードプレート３０Ｃの右側半分を主スクリードプレート３０Ａの右側に位置させると共に、伸縮スクリードプレート３０Ｃの左側半分を主スクリードプレート３０Ａの背後に位置させて舗装幅を広げると、ドグ３０Ｃ４によりリミットスイッチ３０Ａ３のみがＯＮされるので、高周波電流は、誘導コイル３４Ｃ１には供給されず、誘導コイル３４Ｃ２にのみ供給される。従って、誘導コイル３４Ｃ２によって伸縮スクリードプレート３０Ｃの右側半分のみが個別に加熱される。この状態から、図６に示すように、伸縮スクリードプレート３０Ｃ全体を主スクリードプレート３０Ａの右側に位置させて舗装幅をさらに広くすると、リミットスイッチ３０Ａ３に加えてリミットスイッチ３０Ａ２もドグ３０Ｃ３によりＯＮされるので、高周波電流は誘導コイル３４Ｃ１，３４Ｃ２に供給される。従って、誘導コイル３４Ｃ１によって伸縮スクリードプレート３０Ｃの左側半分、誘導コイル３４Ｃ２によって伸縮スクリードプレート３０Ｃの右側半分がそれぞれ加熱される。
【００２４】
また、図６に示すように、伸縮スクリードプレート３０Ｃ全体を主スクリードプレート３０Ａの右側に位置させてた状態から、図２に示すように、伸縮スクリードプレート３０Ｃの右側半分を主スクリードプレート３０Ａの右側に位置させると共に、伸縮スクリードプレート３０Ｃの左側半分を主スクリードプレート３０Ａの背後に位置させて、舗装幅を狭めると、ドグ３０Ｃ３によりリミットスイッチ３０Ａ２がＯＦＦされる。従って、高周波電流は、誘導コイル３４Ｃ１への供給が停止し、誘導コイル３４Ｃ２にのみ供給され、誘導コイル３４Ｃ２によって伸縮スクリードプレート３０Ｃの右側半分のみが個別に加熱される。この状態から、図５に示すように、伸縮スクリードプレート３０Ｃ全体を主スクリードプレート３０Ａの背後に位置させて舗装幅をさらに狭くすると、リミットスイッチ３０Ａ３もドグ３０Ｃ４によりＯＦＦされて、高周波電流の誘導コイル３４Ｃ２への供給も停止し、伸縮スクリードプレート３０Ｃの全体が加熱されなくなる。
【００２５】
この結果、主スクリードプレート３０Ａの背後に位置した伸縮スクリードプレート３０Ｂ，３０Ｃの全体を加熱する従来の場合に比べて、伸縮スクリードプレート３０Ｂ，３０Ｃにおける主スクリードプレート３０Ａの幅を超えて伸長していない箇所を加熱しない分、伸縮スクリードプレート３０Ｂ，３０Ｃの加熱に必要なエネルギー量を少なくすることができる。
【００２６】
また、本実施形態のスクリード装置２４によれば、伸縮スクリードプレート３０Ｂ，３０Ｃは、アスファルトフィニッシャ２０によって舗装される幅に合わせて、加熱される箇所が上記のように高周波電流の通電制御によって切り換えられるので、伸縮スクリードプレート３０Ｂ，３０Ｃにおける主スクリードプレート３０Ａの幅を超えて伸長した箇所のみが切り換えられて加熱され、主スクリードプレート３０Ａの幅を超えて伸長していない箇所は加熱されない。これらの加熱の切替は、ドグ３０Ｂ３，３０Ｂ４，３０Ｃ３，３０Ｃ４によるリミットスイッチ３０Ａ２，３０Ａ２，３０Ａ３，３０Ａ３のＯＮ−ＯＦＦにより自動的に行われるので、作業者の加熱箇所を切り換える負担が軽減される。
【００２７】
なお、上記実施形態においては、伸縮スクリードプレート３０Ｂの左側半分及び右側半分に誘導コイル３４Ｂ１，３４Ｂ２を設け、伸縮スクリードプレート３０Ｃの左側半分及び右側半分に誘導コイル３４Ｃ１，３４Ｃ２を設けて、伸縮スクリードプレート３０Ｂ，３０Ｃをその右側半分および左側半分に区分けした場合について説明した。しかし、伸縮スクリードプレート３０Ｂ，３０Ｃの区分けの仕方は任意である。また、上記実施形態では、主スクリードプレート加熱手段および伸縮スクリードプレート加熱手段として誘導コイル３４Ａ，３４Ｂ１，３４Ｂ２，３４Ｃ１，３４Ｃ２を用いた場合について説明したが、加熱手段の種類は任意である。また、上記実施形態においては、リミットスイッチ３０Ａ２，３０Ａ２，３０Ａ３，３０Ａ３およびドグ３０Ｂ３，３０Ｂ４，３０Ｃ３，３０Ｃ４を、リミットスイッチ３０Ａ２，３０Ａ２，３０Ａ３，３０Ａ３に対してドグ３０Ｂ３，３０Ｂ４，３０Ｃ３，３０Ｃ４が後側に位置するように平面上に配置した場合について説明した。しかし、リミットスイッチ３０Ａ２，３０Ａ２，３０Ａ３，３０Ａ３およびドグ３０Ｂ３，３０Ｂ４，３０Ｃ３，３０Ｃ４の位置関係は任意であり、例えば、リミットスイッチ３０Ａ２，３０Ａ２，３０Ａ３，３０Ａ３に対してドグ３０Ｂ３，３０Ｂ４，３０Ｃ３，３０Ｃ４が下側に位置するように立面上に配置する構成としてもよい。
【産業上の利用可能性】
【００２８】
上記の各実施形態においては、本発明によるスクリード装置をアスファルトフィニッシャにおけるスクリード装置に適用した場合を説明したが、本発明はこれに限られるものではない。例えば、リミキサやリペーバといった路上表層再生機のスクリード装置に本発明を適用することも可能である。
【図面の簡単な説明】
【００２９】
【図１】本発明の一実施形態によるスクリードプレート加熱装置を備えたアスファルトフィニッシャを示しており、（ａ）はその一部破断側面図、（ｂ）はそのスクリード装置を示す平面図である。
【図２】本発明の一実施形態によるスクリードプレート加熱装置が設けられた主スクリードプレートおよび伸縮スクリードプレートを示す平面図である。
【図３】図２の主スクリードプレートを示しており、（ａ）はその平面図、（ｂ）はその正面図、（ｃ）はその左側面図である。
【図４】図２の一方の伸縮スクリードプレートを示しており、（ａ）はその平面図、（ｂ）はその正面図、（ｃ）はその左側面図である。
【図５】本発明の一実施形態によるスクリードプレート加熱装置が設けられた主スクリードプレートおよび伸縮スクリードプレートの舗装幅が狭い状態を示す平面図である。
【図６】本発明の一実施形態によるスクリードプレート加熱装置が設けられた主スクリードプレートおよび伸縮スクリードプレートの舗装幅が広い状態を示す平面図である。
【符号の説明】
【００３０】
２４…スクリード装置
３０Ａ…主スクリードプレート
３０Ｂ，３０Ｃ…伸縮スクリードプレート
３４Ａ，３４Ｂ１，３４Ｂ２，３４Ｃ１，３４Ｃ２…誘導コイル
【図１】
0004393449.tif 000002
【図２】
0004393449.tif 000003
【図３】
0004393449.tif 000004
【図４】
0004393449.tif 000005
【図５】
0004393449.tif 000006
【図６】
0004393449.tif 000007